(57)【要約】【課題】  写真フレ−ム、案内スタンドなどは、通常、固定／定置展示用具として提供され、近年必要とされる迅速な更新／移動展示や特殊３Ｄ印刷物（ホログラム葉書他）の効果的展示などに適応できないという問題がある。【解決手段】  組合展示板と可変支持体の２構成基材から成り、各基材が有する磁性面部及び／又はファスナ−面部により両構成基材を一体化結合構成する組合構成体を提供する。【選択図】  図６
2011041744.tif 000002
【特許請求の範囲】
【請求項１】
組合展示板と可変支持体の２構成基材から成り、各基材が有する磁性面部及び／又はファスナ−面部により両構成基材を一体化結合構成することを特徴とする組立構成体
【請求項２】
請求項１記載の組合展示板
【請求項３】
請求項１記載の可変支持体
【発明の詳細な説明】
【技術分野】
【０００１】
本発明は、自在に交換、組合、結合できる２構成基材から成る組立構成体に関する。
【背景技術】
【０００２】
従来、大型額縁、卓上写真フレ−ムなど種々の展示装飾用品がある。
【発明の概要】
【発明が解決しようとする課題】
【０００３】
写真フレ−ム、案内スタンドなどは、通常、固定／定置展示用具として提供され、近年必要とされる迅速な更新／移動展示や特殊３Ｄ印刷物（ホログラム葉書他）の効果的展示などに適応できないという問題がある。
【課題を解決するための手段】
【０００４】
組合展示板と可変支持体の２構成基材から成り、各基材が有する磁性面部及び／又はファスナ−面部により両構成基材を一体化結合する組立構成体を提供する。
【発明の効果】
【０００５】
本発明の２構成部材は、簡易な構造と安価な素材により実現され、安定、安全な磁性面部および／またはファスナ−（非磁性）面部により組立工具なしの手作業で自在な交換、組合、結合により組立構成体に一体化できるから、日常的に変化する展示表示が迅速にできる。また、メッシュやパンチの特有なパタ−ン着色化、モアレ効果、可変傾斜角により変化する反射回折効果などを活用できる。さらに、２構成基材に分解できるから交換、修理、保管が容易であり、軽量であるから携行組立使用に便利である。他方、破損破棄する場合、に金属非金属部分に容易に分別処分できるから、日常使用上、安心、安全であり、環境保全のため有用である。特に、卓上・壁面両用展示手段として、日常メモ・参考デ−タ・重要情報などの掲示、確認、伝達に有用である。
【図面の簡単な説明】
【０００６】
【図１】組合展示版の平面図。
【図２】同展示版の中央縦断面図。
【図３】可動支持体の正面図。
【図４】同支持体の側面図。
【図５】同支持体の背面図。
【図６】組立構成体の実施例１の側面図。
【図７】同変形例１の側面説明図。
【図８】同変形例２の側面説明図。
【図９】同変形例３の側面説明図。
【図１０】実施例２の側面説明図。
【図１１】同変形例４の側面説明図。
【発明を実施するための形態】
【０００７】
図１、２に示すように、組合展示板Ｄは、磁性材のメッシュ面部Ｍと組合フレ−ムＦ１、Ｆ２から成り、磁石１＜＞磁性面部３と、ファスナ−面部２＋４の自在相互結合により両面メッシュ展示板として形成する。各フレ−ムはパンチ孔５を設けた磁性板で形成してもよく、その組合デザインも自由である。メッシュ２重化によりモアレ効果も活用できる。
【０００８】
図３、４、５に示すように、可動支持体Ｓは、プラスチックベルトなどの適度の屈曲材質のベルト部Ｂ１、Ｂ２、Ｂ３から成り、ヒンジ部Ｈ１、Ｈ２で屈曲し、調整部ＫでＢ１端部固定、Ｂ３端部貫通により三角状立体を形成する。また、図１０、１１に示すように、全長にわたり一様に屈曲するベルトＢ４を使用し、結合部調整部ＣＫで１端末部固定、多端部貫通により円環状立体を形成する。結合部Ｃは磁性材などで成形し、その外側面に磁性面部３及び／又はファスナ−面部４を有し、ベルトの接触面で半固定／滑動できるように設ける。調整部Ｋでベルト貫通端部を左右移動すれば、ベルト屈曲部分の長さが変化し、三角状立体または円環状立体は対応して拡大縮小変形する。
【０００９】
本組立構成体は床面、机面、斜面などで起立展示手段として使用可能であり、組合展示板は個別展示手段として、図２に示すように、壁面でも吊具（図略）又は磁気／ファスナ−結合で保持使用できる。特に、軽量な寸法・重量構成により卓上・壁面両用展示手段として、日常メモ・参考デ−タ・重要情報などの掲示、確認、伝達に至便である。
【実施例１】
【００１０】
図６は、本発明組立構成体の実施例（両面メッシュ展示用）の側面図であって、２構成基材である組合展示板Ｄと可変支持体Ｓは、結合部Ｃにおいて磁性面部３＜＞１・ファスナ−面部４＜＞２結合により一体化組立構成体となり、図示結合構成のように、特定の展示傾斜角Ａ１に縦横自在に起立保持される。ここで展示物は図示してないが、メッシュ面部Ｍの両面・片面展示、結合手段１〜４とメッシュ面部での最適配置、メッシュフィルム着色性、背後照明、可変傾斜光線効果などの選択変更は迅速、容易にできる。
【変形例１】
【００１１】
図７は実施例１の変形例１を示し、調整部Ｋを貫通するＢ３を左出調整して長辺化させた変形支持体Ｓ１と、Ｂ２の結合部Ｃのメッシュ面部Ｍ下位同時移動により、展示傾斜角はＡ２＞Ａ１に変化する。ここで両基本材は、例えば、１＜＞３磁気結合のみによる組立構成体とすることができる。
【変形例２】
【００１２】
図８は同変形例２を示し、変形例１と反対に、Ｂ３を短辺化させた変形支持体Ｓ２と、、Ｂ２の結合部Ｃのメッシュ面部Ｍ上位同時移動により、展示傾斜角はＡ３＜Ａ１に変化する。ここで両基材は、例えば、凹凸斜面上でも１＜＞３磁気結合＋２＜＞４ファスナ−結合による安定組立構成体とすることができる。
【変形例３】
【００１３】
図９は同変形例３を示し、変形支持体Ｓ３は床面に対して起立せず傾斜し、展示板Ｄに直交結合して、展示傾斜角はＡ２＞Ａ４＞Ａ３に変化する。ここで両基材は、例えば、２＜＞４結合、即ち、ファスナ−面結合のみによる変形組立構成体となり、例えば、パソコン、電子機器などの使用条件である非磁性環境に適応する結合構造に容易に変形できる。  
【実施例２】
【００１４】
図１０は実施例２の説明側面図であって、２構成基材である組合展示板Ｄと円環状支持体Ｓ４は、結合部Ｃにおいて磁性面部３＜＞１・ファスナ−面部４＜＞２結合により一体化組立構成体となり、図示結合構成のように、特定の展示傾斜角Ａ５に縦横自在に起立保持される。ここで展示物は図示してないが、メッシュ面部または磁性平面部における直接印刷説明板として、設置場所に最適な視覚傾斜角に設定すれば良い。
【変形例４】
【００１５】
図１１は実施例２の変形例４を示し、結合部調整部ＣＫを貫通する円環状ベルトの自由端部を円滑に左出調整して渦巻き縮小化円環状とする簡易で安定な変形支持体Ｓ５により、展示傾斜角がＡ６およびＡ７で対向する２枚の展示板Ｄ、Ｄを同時起立させる組立構成体とすることができる。
【産業上の利用可能性】
【００１６】
図示以外の多くの変形（台形など）が容易なことは明らかであり、新規な展示表示手段として本組立構成体を多分野、多用途で利用可能できる。
【符号の説明】
【００１７】
Ａ１〜Ａ７：展示傾斜角
Ｂ１〜Ｂ４：バンド部
Ｃ：結合部
ＣＫ：結合調整部
Ｄ：組合展示版
Ｆ１、Ｆ２：組合フレ−ム
Ｈ１、Ｈ２：ヒンジ部
Ｋ：調整部
Ｍ：メッシュ面部
Ｐ：パンチ面部
Ｓ：可動支持体
１：磁石
２：面ファスナ−
３：磁性面部
４：ファスナ−面部
【図１】
2011041744.tif 000003
【図２】
2011041744.tif 000004
【図３】
2011041744.tif 000005
【図４】
2011041744.tif 000006
【図５】
2011041744.tif 000007
【図６】
2011041744.tif 000008
【図７】
2011041744.tif 000009
【図８】
2011041744.tif 000010
【図９】
2011041744.tif 000011
【図１０】
2011041744.tif 000012
【図１１】
2011041744.tif 000013
【手続補正書】
【提出日】平成21年9月16日(2009.9.16)
【手続補正１】
【補正対象書類名】明細書
【補正対象項目名】全文
【補正方法】変更
【補正の内容】
【発明の詳細な説明】
【技術分野】
【０００１】
本発明は、自在に交換、組合、結合できる２構成基材から成る組立構成体に関する。
【背景技術】
【０００２】
従来、大型額縁、卓上写真フレ−ムなど種々の展示装飾用品がある。  
【発明の概要】
【発明が解決しようとする課題】
【０００３】
写真フレ−ム、案内スタンドなどは、通常、固定／定置展示用具として提供され、近年必要とされる迅速な更新／移動展示や特殊３Ｄ印刷物（ホログラム葉書他）の効果的展示などに適応できないという問題がある。
【課題を解決するための手段】
【０００４】
組合展示板と可変支持体の２構成基材から成り、各基材が有する磁性面部及び／又はファスナ−面部により両構成基材を一体化結合する組立構成体を提供する。
【発明の効果】
【０００５】
本発明の２構成基材は、簡易な構造と安価な素材により実現され、安定、安全な磁性面部および／またはファスナ−（非磁性）面部により組立工具なしの手作業で自在な交換、組合、結合により組立構成体に一体化できるから、日常的に変化する展示表示が迅速にできる。また、メッシュやパンチの特有なパタ−ン着色化、モアレ効果、可変傾斜角により変化する反射回折効果などを活用できる。さらに、２構成基材に分解できるから交換、修理、保管が容易であり、軽量で外出携行して組立使用に便利である。他方、破損破棄する場合に金属非金属部分に容易に分別処分できるから、日常使用上、安心、安全であり、環境保全のため有用である。特に、卓上・壁面両用展示手段として、日常メモ・参考デ−タ・重要情報などの掲示、確認、伝達に最適である。
【図面の簡単な説明】
【０００６】
【図１】組合展示版の平面図。
【図２】同展示版の中央縦断面図。
【図３】可動支持体の正面図。
【図４】同支持体の側面図。
【図５】同支持体の背面図。
【図６】組立構成体の実施例１の側面図。
【図７】同変形例１の側面説明図。
【図８】同変形例２の側面説明図。
【図９】同変形例３の側面説明図。
【図１０】実施例２の側面説明図。
【図１１】同変形例４の側面説明図。
【図１２】実施例１の可動支持体の折畳基材側面説明図。
【図１３】実施例２の可動支持体の折畳基材側面説明図。
【発明を実施するための形態】
【０００７】
図１、２に示すように、組合展示板Ｄは、磁性材のメッシュ面部Ｍと組合フレ−ムＦ１、Ｆ２から成り、磁石１＜＞磁性面部３と、ファスナ−面部２・４の自在相互結合により両面メッシュ展示板として形成する。各フレ−ムはパンチ孔５を設けた磁性板で形成してもよく、その組合デザインも自由である。メッシュ２重化により可変モアレ効果も活用できる。
【０００８】
図３、４、５に示すように、可動支持体Ｓは、プラスチックベルトなどの適度の屈曲材質のベルト部Ｂ１、Ｂ２、Ｂ３から成り、ヒンジ部Ｈ１、Ｈ２で屈曲し、調整部ＫでＢ１端部固定、Ｂ３端部貫通により三角状立体を形成する。また、図１０、１１に示すように、全長にわたり一様に屈曲自在なベルトＢ４を使用し、結合部調整部ＣＫで１端末部固定、他端部貫通により円環状立体を形成する。結合部Ｃは磁性材などで成形し、その外側面に磁性面部３及び／又はファスナ−面部４を有し、ベルトの接触面で半固定／滑動できるように設ける。調整部Ｋでベルト貫通端部を左右移動すれば、ベルト屈曲部分の長さが変化し、三角状立体または円環状立体は対応して拡大縮小変形する。
【０００９】
本組立構成体は床面、机面、斜面などで起立展示手段として使用可能であり、組合展示板は個別展示手段として、図２に示すように、壁面でも吊具（図略）又は磁気／ファスナ−結合で保持使用することができる。特に、軽量な寸法・重量構成により卓上・壁面両用展示手段として、日常メモ・参考デ−タ・重要情報などの移動、伝達、掲示、確認などに至便である。
【実施例１】
【００１０】
図６は、本発明組立構成体の実施例（両面メッシュ展示用）の側面図であって、２構成基材である組合展示板Ｄと可変支持体Ｓは、結合部Ｃにおいて磁性面部３＜＞１・ファスナ−面部４＜＞２結合により一体化組立構成体となり、図示結合構成のように、特定の展示傾斜角Ａ１に縦横自在に起立保持できる。ここで展示物は図示してないが、メッシュ面部Ｍの両面・片面展示、結合手段１〜４とメッシュ面部での最適配置、メッシュフィルムの着色化、背景背後の照明、可変傾斜光線効果などの選択変更は迅速、容易にできる。
【変形例１】
【００１１】
図７は実施例１の変形例１を示し、調整部Ｋを貫通するＢ３を左出調整して長辺化させた変形支持体Ｓ１と、Ｂ２の結合部Ｃのメッシュ面部Ｍ下位同時移動により、展示傾斜角はＡ２＞Ａ１に変化する。ここで両基材は、例えば、１＜＞３磁気面結合のみによる組立構成体としてもよい。
【変形例２】
【００１２】
図８は同変形例２を示し、変形例１と反対に、Ｂ３を短辺化させた変形支持体Ｓ２と、同時に、Ｂ２の結合部Ｃのメッシュ面部Ｍ上位移動により、展示傾斜角はＡ３＜Ａ１に変化する。ここで両基材は、例えば、凹凸斜面上でも磁気面結合１＜＞３＋ファスナー面結合２・４による安定組立構成体とすることができる。
【変形例３】
【００１３】
図９は同変形例３を示し、変形支持体Ｓ３は床面に対して起立せず傾斜し、展示板Ｄに直交結合して、展示傾斜角はＡ２＞Ａ４＞Ａ３に変化する。ここで両基材は、例えば、２＜＞４結合、即ち、ファスナ−面結合のみによる変形組立構成体となり、例えば、パソコン、電子機器などの外部非磁性使用環境に適応する周辺構成体を容易に実現することができる。
【実施例２】
【００１４】
図１０は実施例２の側面説明図であって、２構成基材である組合展示板Ｄと円環状支持体Ｓ４は、結合部Ｃにおいて磁性面部３＜＞１＋ファスナ−面部４・２結合により一体化組立構成体となり、図示結合構成のように、特定の展示傾斜角Ａ５に縦横自在に起立保持される。ここで展示物は図示してないが、メッシュ面部または磁性面部における大型印刷説明板として、設置場所に最適な視覚傾斜角に設定すればよい。
【変形例４】
【００１５】
図１１は実施例２の変形例４を示し、結合部調整部ＣＫを貫通する円環状ベルトの自由端部を円滑に左出調整して渦巻き縮小円環状とする簡易で安定な変形支持体Ｓ５により、展示傾斜角がＡ６およびＡ７で対向する２枚の小型展示板Ｄ、Ｄを同時起立させる組立構成体とすることができる。
【００１６】
図１２は実施例１の可変支持体Ｓを形成するバンド部Ｂ１、２、３を示し、バンド部３を調整部Ｃから引き抜き、ヒンジ部Ｈ１でバンド部１をバンド部２に折り重ねるように畳み、三角状立体Ｓを短小平板化基材として扱うことができる。
【００１７】
図１３は実施例２の可変支持体Ｓ４を形成するバンド部４を示し、バンド部４を結合調整部ＣＫから引き抜き、所定位置にある結合部Ｃの内部に形成してあるヒンジ部Ｈ３で左則バンド部４を右則バンド部４に折り重ねるように畳み、円環状立体Ｓ４を短小平板化基材として扱うことができる。
【産業上の利用可能性】
【００１８】
図示以外の多くの変形（台形、多角形など）が容易なことは明らかであり、新規な展示表示手段として本組立構成体を多分野、多用途に利用することができる。
【符号の説明】
【００１９】
Ａ１〜Ａ７：展示傾斜角
Ｂ１〜Ｂ４：バンド部
Ｃ：結合部
ＣＫ：結合調整部
Ｄ：組合展示版
Ｆ１、Ｆ２：組合フレ−ム
Ｈ１、Ｈ２、Ｈ３：ヒンジ部
Ｋ：調整部
Ｍ：メッシュ面部
Ｐ：パンチ面部
Ｓ、Ｓ１〜Ｓ４：可動支持体
１：磁石
２：面ファスナ−
３：磁性面部
４：ファスナ−面部
【手続補正２】
【補正対象書類名】図面
【補正対象項目名】図１２
【補正方法】追加
【補正の内容】
【図１２】
2011041744.tif 000014
【手続補正３】
【補正対象書類名】図面
【補正対象項目名】図１３
【補正方法】追加
【補正の内容】
【図１３】
2011041744.tif 000015